(57)【特許請求の範囲】
【請求項１】
室内側に向けて開口する嵌合凹所を形成するように対向配置された第１片部及び第２片部を有し、かつ、前記第１片部に前記第２片部側に向けて突出する係合部を設けたアングルを室内側に備えたサッシ枠の該アングルの嵌合凹所に室外側端部が嵌め込まれるように取り付けられるサッシ枠用額縁であって、
木質系材料から形成された額縁本体と、この額縁本体の室外側端部に取り付けられる非木質系材料から形成された取付部材と、を備えており、
前記取付部材には、前記アングルの係合部が係止されて当該サッシ枠用額縁の室内側への移動を規制する被係合部と、当該サッシ枠用額縁が前記アングルに取り付けられた状態で、前記サッシ枠の室内側に向く面に当接し、当該サッシ枠用額縁を室内側へ付勢する付勢部と、が設けられていることを特徴とするサッシ枠用額縁。
【請求項２】
請求項１において、
前記取付部材は、合成樹脂系材料または金属系材料から形成されており、前記額縁本体の室外側端部に互いに間隔を空けて複数取り付けられるものであることを特徴とするサッシ枠用額縁。
【請求項３】
請求項１または２において、
前記額縁本体の室外側端部の表面には、前記アングルの第２片部の室内側の端部を収容する切欠状凹部が形成されていることを特徴とするサッシ枠用額縁。
【請求項４】
請求項１乃至３のいずれか１項において、
前記取付部材は、前記アングルの第１片部を挟むように保持し、前記被係合部を設けた室外側に向けて開口する係合凹所を室外側の端部に設け、前記額縁本体の裏面側に沿うように固定される裏側片部と、この裏側片部の室外側の端部から前記サッシ枠の取付下地側に向けて突出するように設けられ、前記付勢部を設けた突出片部と、を備えていることを特徴とするサッシ枠用額縁。
【請求項５】
請求項１乃至３のいずれか１項において、
前記取付部材は、前記額縁本体の裏面側に沿うように固定され、前記被係合部を設けた裏側片部と、前記額縁本体の室外側端面に沿うように固定され、前記付勢部を設けた端側片部と、を備え、これら裏側片部及び端側片部の両方または一方が止具によって前記額縁本体の室外側端部に取り付けられることを特徴とするサッシ枠用額縁。
【発明の詳細な説明】
【技術分野】
【０００１】
本発明は、建物の開口部に配設されるサッシ枠の室内側に取り付けられるサッシ枠用額縁に関する。
【背景技術】
【０００２】
従来より、建物の開口部に配設されるサッシ枠（建具枠と称される場合もある。）の室内側に、額縁（窓枠と称される場合もある。）を取り付けた構造が知られている。
例えば、下記特許文献１では、下枠と、上枠と、左右の縦枠とからなる建具枠のそれぞれの室内側に、略コ字形部を有したアングルを設け、このアングルにそれぞれ額縁の室外側を嵌合させる構造とされた建具が提案されている。この建具のアングルは、額縁の裏面に対面し、額縁側に突出する係合部が設けられた見込み面部を有した第１部と、額縁の表面を覆う見込み面部を有した第２部とを備えた構造とされている。また、この建具の額縁は、石膏ボードまたは構造用合板からなり、裏面に、アングルの第１部の係合部を嵌め込む溝を有した構造とされている。これにより、アングルの第１部の係合部が額縁の裏面の溝に係止されて額縁のアングルに対する室内方向への動きが規制される構造とされている。
【先行技術文献】
【特許文献】
【０００３】
【特許文献１】特許第４５５４７１７号公報
【発明の概要】
【発明が解決しようとする課題】
【０００４】
しかしながら、上記特許文献１に記載された建具では、石膏ボードまたは構造用合板からなる額縁の裏面に、アングルの第１部の係合部を嵌め込む溝を形成する必要があるため、加工性や加工精度、係止強度の観点等からは更なる改善が望まれていた。また、アングルの第１部の係合部や額縁の裏面の溝の成形誤差や加工誤差、さらには額縁の裏面の溝の変形等に起因して、額縁がアングルに対して室内外方向に僅かに移動することも考えられ、更なる改善が望まれていた。
【０００５】
本発明は、上記実情に鑑みてなされたものであり、加工性や取付強度を向上し、サッシ枠に対する室内外方向への移動を抑制し得るサッシ枠用額縁を提供することを目的としている。
【課題を解決するための手段】
【０００６】
上記目的を達成するために、本発明に係るサッシ枠用額縁は、室内側に向けて開口する嵌合凹所を形成するように対向配置された第１片部及び第２片部を有し、かつ、前記第１片部に前記第２片部側に向けて突出する係合部を設けたアングルを室内側に備えたサッシ枠の該アングルの嵌合凹所に室外側端部が嵌め込まれるように取り付けられるサッシ枠用額縁であって、木質系材料から形成された額縁本体と、この額縁本体の室外側端部に取り付けられる非木質系材料から形成された取付部材と、を備えており、前記取付部材には、前記アングルの係合部が係止されて当該サッシ枠用額縁の室内側への移動を規制する被係合部と、当該サッシ枠用額縁が前記アングルに取り付けられた状態で、前記サッシ枠の室内側に向く面に当接し、当該サッシ枠用額縁を室内側へ付勢する付勢部と、が設けられていることを特徴とする。
【０００７】
本発明においては、前記取付部材を、合成樹脂系材料または金属系材料から形成されたものとし、前記額縁本体の室外側端部に互いに間隔を空けて複数取り付けられるものとしてもよい。
また、本発明においては、前記額縁本体の室外側端部の表面に、前記アングルの第２片部の室内側の端部を収容する切欠状凹部を形成するようにしてもよい。
また、本発明においては、前記取付部材を、前記アングルの第１片部を挟むように保持し、前記被係合部を設けた室外側に向けて開口する係合凹所を室外側の端部に設け、前記額縁本体の裏面側に沿うように固定される裏側片部と、この裏側片部の室外側の端部から前記サッシ枠の取付下地側に向けて突出するように設けられ、前記付勢部を設けた突出片部と、を備えたものとしてもよい。
また、本発明においては、前記取付部材を、前記額縁本体の裏面側に沿うように固定され、前記被係合部を設けた裏側片部と、前記額縁本体の室外側端面に沿うように固定され、前記付勢部を設けた端側片部と、を備えたものとし、これら裏側片部及び端側片部の両方または一方が止具によって前記額縁本体の室外側端部に取り付けられるものとしてもよい。
【発明の効果】
【０００８】
本発明に係るサッシ枠用額縁は、上述のような構成としたことで、加工性や取付強度を向上させることができ、サッシ枠に対する室内外方向への移動を抑制することができる。
【図面の簡単な説明】
【０００９】
【図１】本発明の一実施形態に係るサッシ枠用額縁及びこれを用いた額縁取付構造の一例を模式的に示す一部を省略した一部破断概略横断面図である。
【図２】同サッシ枠用額縁を模式的に示す一部破断概略側面図である。
【図３】（ａ）〜（ｃ）は、同サッシ枠用額縁が備える取付部材の一例を模式的に示し、（ａ）は、概略正面図、（ｂ）は、概略背面図、（ｃ）は、（ａ）におけるＸ１−Ｘ１線矢視に対応させた概略横断面図である。
【図４】本発明の他の実施形態に係るサッシ枠用額縁及びこれを用いた額縁取付構造の一例を模式的に示す一部を省略した一部破断概略横断面図である。
【図５】（ａ）〜（ｃ）は、同サッシ枠用額縁が備える取付部材の一例を模式的に示し、（ａ）は、概略正面図、（ｂ）は、概略背面図、（ｃ）は、（ａ）におけるＸ２−Ｘ２線矢視に対応させた概略横断面図である。
【図６】本発明の更に他の実施形態に係るサッシ枠用額縁及びこれを用いた額縁取付構造の一例を模式的に示す一部を省略した一部破断概略横断面図である。
【図７】（ａ）、（ｂ）は、同サッシ枠用額縁が備える取付部材の一例を模式的に示し、（ａ）は、（ｂ）におけるＸ３−Ｘ３線矢視に対応させた概略横断面図、（ｂ）は、概略正面図であり、（ｃ）は、同取付部材の一変形例を模式的に示す概略正面図である。
【発明を実施するための形態】
【００１０】
以下に本発明の実施の形態について、図面に基づいて説明する。
なお、以下の各実施形態では、サッシ枠用額縁を施工した状態を基準として、上下方向や室内外方向等の方向を原則的に説明する。
【００１１】
図１〜図３は、第１実施形態に係るサッシ枠用額縁の一例を模式的に示す図である。
本実施形態に係るサッシ枠用額縁（窓枠）１は、図１に示すように、建物の室内８と室外９とを区画する壁体に形成された開口部２に配設されるサッシ枠（建具枠）３に取り付けられる。
開口部２は、建物の室内８と室外９としての屋外とを区画する壁体に設けられたものでもよく、室内８とこの室内８に隣接する室外９としての廊下や他の室内等とを区画する建物内の間仕切壁体等に設けられたものでもよい。
この開口部２は、サッシ枠３が取り付けられる取付下地５によって四周が区画されている。この取付下地５としては、開口部２の上側を区画するまぐさ等の横架材や、開口部２の下側を区画する窓台等の横架材または床下地、開口部２の左右両側を区画する柱やスタッド等としてもよい。なお、図１、図４及び図６において、符号７で示す部材は、取付下地５の室内側面に沿うように取付下地５に直接的にまたは胴縁等を介して固定される石膏ボードや合板等の板材である。
【００１２】
図１では、サッシ枠として左右の縦枠３（図例では、室内８側から室外９側を見て右側の縦枠のみを図示している。）の一部分を横断面で示しており、これら左右の縦枠３と、下枠３Ａと、図示省略の上枠と、が開口部２の内周に沿うように配設される。これら左右の縦枠３、下枠３Ａ及び上枠の長さ寸法は、開口部２の設定（基準）開口高（上下の取付下地間の寸法）及び設定（基準）開口幅（左右の取付下地間の寸法）に応じた寸法に予め調整されている。または、適宜、施工現場等において切断等されることで長さ調整されるものとしてもよく、さらには、飼木（かい物）などのスペーサー等により調整されるものとしてもよい。
また、これら左右の縦枠３、下枠３Ａ及び上枠は、それぞれの長手方向の端部が接合されて枠組みされた状態で開口部２に配設されるものとしてもよい。また、これら左右の縦枠３、下枠３Ａ及び上枠のそれぞれの室外９側に、取付下地５の室外側面に沿うように延びる取付片を設けるようにしてもよい。そして、これら左右の縦枠３、下枠３Ａ及び上枠のそれぞれの取付片を、取付下地５の室外側面に直接的にまたはスペーサー等を介して釘やねじ等の止具によって取り付ける態様としてもよい。
【００１３】
また、これら左右の縦枠３、下枠３Ａ及び上枠によって区画された開口には、該開口を閉鎖または開閉する建具や窓部材等の閉鎖部材４が装着される。この閉鎖部材４としての建具としては、開き戸や引き違い戸、折戸等としてもよく、また、これらに加えて設けられる雨戸や網戸等としてもよい。また、閉鎖部材４としての窓部材としては、引き違い窓や上げ下げ窓、開き窓、折開き窓、滑り出し窓、嵌め殺し窓（ＦＩＸ窓）等としてもよく、また、これらに加えて設けられる雨戸や網戸等としてもよい。また、閉鎖部材４を窓部材とした場合には、腰窓に限られず、天窓や掃き出し窓等としてもよい。
また、このような閉鎖部材４の種類等に応じて、左右の縦枠３、下枠３Ａ及び上枠には、閉鎖部材４のレールや端部収容部（戸当り溝）、回動連結部材やスライド連結アーム等の連結部材等が適宜、設けられる。
【００１４】
また、左右の縦枠３の室内８側には、サッシ枠用額縁としての左右の縦額縁（図例では、室内８側から室外９側を見て右側の縦額縁のみを図示している。）１がそれぞれに取り付けられるアングル３０がそれぞれ設けられている。また、下枠３Ａの室内８側には、サッシ枠用額縁としての下額縁１Ａが取り付けられるアングル３０Ａが設けられている。また、図示は省略しているが、上枠の室内８側にも、サッシ枠用額縁としての上額縁が取り付けられるアングルが設けられている。なお、これら左右の縦枠３、下枠３Ａ及び上枠の各アングルは、概ね同様の構成であるので、以下では、縦枠３のアングル３０を例にとって説明する。
【００１５】
アングル３０は、室内８側に向けて開口する嵌合凹所３１を形成するように対向配置された第１片部としての下地側片部３３と、第２片部としての表側片部３８と、を備えており、室内８側に向けて開口する断面略コ字状（略Ｕ字状または略Ｃ字状）とされている（図３（ｃ）も参照）。
また、図例では、このアングル３０を、下地側片部３３を有した第１部材としての下地側部材３２と、表側片部３８を有した第２部材としての表側部材３７と、を備えた二部材からなるものとしている。
下地側部材３２は、取付下地５側（開口部２の見込み面側）に配設される。
表側部材３７は、サッシ枠用額縁（縦額縁）１の室外側端部の表面を覆うように、また、下地側部材３２の閉鎖部材４の装着側部位の少なくとも室内８側に露出する表面を覆うように配設される。この表側部材３７は、左右の縦枠３、下枠３Ａ及び上枠のそれぞれの主要部となる下地側部材３２を枠組みして上記のように開口部２に取り付けた後に、枠組みされて、若しくは個別に配設されるものとしてもよい。または、下地側部材３２と表側部材３７とを組み付けた状態で、上記のように左右の縦枠３、下枠３Ａ及び上枠を枠組みして開口部２に取り付けるようにしてもよい。
【００１６】
また、下地側部材３２を、例えば、アルミニウムやアルミニウム合金、ステンレス、炭素鋼等の金属系材料から形成されたものとしてもよい。また、表側部材３７を、例えば、ＰＶＣ（ポリ塩化ビニル）樹脂やＡＢＳ（アクリロニトリルブタジエンスチレン）樹脂等の硬質の合成樹脂系材料から形成されたものとしてもよい。このように、アングル３０の室内８側に露出する部位となる表側部材３７を、合成樹脂系材料から形成されたものとすることで、断熱性を向上させることができ、結露を抑制することができる。また、例えば、サッシ枠用額縁（縦額縁）１の色調（例えば、木目調）に合うような着色を施すことも容易となる。また、取付下地５側に配設される下地側部材３２を、金属系材料から形成されたものとすることで、アングル３０（サッシ枠３）の取付強度や耐久性を向上させることができる。
【００１７】
下地側部材３２の下地側片部３３には、表側片部３８側に向けて突出する係合部としての係合突部３３ａが設けられている。
この下地側片部３３の係合突部３３ａは、図例のように下地側片部３３自体を屈曲させた形状として設けるようにしてもよく、または、下地側片部３３に切り起こし状に設けるようにしてもよい。また、この係合突部３３ａは、下地側片部３３の長手方向（上下枠間方向）の全長に亘って設けるようにしてもよく、長手方向に沿って間隔を空けて複数箇所に設けるようにしてもよい。また、図例では、この下地側片部３３の係合突部３３ａよりも室内８側の部位を、嵌合凹所３１を室内８側に向かうに従い拡大させるような傾斜状に形成した例を示している。
【００１８】
また、下地側部材３２は、下地側片部３３の室外９側の端部から取付下地５側に向けて突出するように形成され、取付下地５（図例では、スペーサー６）に当接される下地当接片部３４を備えている。また、下地側部材３２は、下地側片部３３の室外９側の端部から反取付下地５側（開口部２の中心側）に向けて突出するように形成され、表側部材３７に係合して接続される係合部となる接続片部３５を備えている。なお、図例では、概ね全体が表側部材３７の係合部に挿入される接続片部３５を図示しているが、嵌合凹所３１の室内８側に向く底面（凹所底面）３１ａを構成するように接続片部３５を図例よりも延出させたものとしてもよい。また、下地側部材３２は、下地当接片部３４の突出方向途中部位から室外９側に向けて延びるように設けられ、閉鎖部材４等の装着部となる装着片部３６を備えている。
【００１９】
表側部材３７は、表側片部３８の室外９側の端部に連なるように設けられ、下地側部材３２の接続片部３５の係合部と互いに係合する係合部を有した接続片部３９を備えている。この接続片部３９は、下地側部材３２の接続片部３５及び下地当接片部３４の装着片部３６よりも開口部２の中心側部位の室外９側に向く面、並びに装着片部３６の室内８側部位の開口部２の中心側に向く面を覆い、これらに沿うように形成されている。つまり、この接続片部３９は、下地側部材３２の室内８側において露出する部位を覆うカバー片部としても機能する。この接続片部３９における下地側部材３２の装着片部３６を覆う部位及び装着片部３６は、釘やねじ等の止具１９によってスペーサー６を介在させて取付下地５に固定される。また、この接続片部３９の係合部までの開口部２の中心側部位は、嵌合凹所３１の凹所底面３１ａを構成する。つまり、アングル３０の嵌合凹所３１は、図例では、下地側部材３２の下地側片部３３と、表側部材３７の接続片部３９と、表側部材３７の表側片部３８と、によって区画されている。
【００２０】
次に、上記構成とされた縦枠３のアングル３０に取り付けられる縦額縁１について説明する。なお、下枠３Ａのアングル３０Ａに取り付けられる下額縁１Ａ及び上枠のアングルに取り付けられる上額縁における縦額縁１と同様の構成については説明を省略する。
縦額縁１は、室外側端部が縦枠３のアングル３０の嵌合凹所３１に嵌め込まれるように取り付けられる。
また、縦額縁１は、木質系材料から形成された額縁本体１０と、この額縁本体１０の室外側端部１１に取り付けられる非木質系材料から形成された取付部材２０と、を備えている。
【００２１】
額縁本体１０は、略帯板状とされており、図例では、その室内側端部に、室内８側に向けて開口する凹溝１５を長手方向に沿って設け、この凹溝１５にケーシング部材１６の係合片（調整片）１７を嵌め込む構造としたケーシング枠状とされている。なお、額縁本体１０の室内側端部に、凹溝１５やケーシング部材１６を設けずに、その室内側端部を壁体（板材７）の室内側面よりも室内８側に突出させて配設される固定枠状の額縁本体１０としてもよい。
この額縁本体１０の見込み寸法（開口部２が形成された壁体の厚さ方向に沿う寸法、室内外方向に沿う寸法）は、壁厚やアングル３０の嵌合凹所３１の凹所底面３１ａから壁体の室内側面までの寸法等に応じて、また、上記したケーシング枠状か固定枠状か等に応じて予め調整されている。
また、この額縁本体１０は、その室外側端部１１が後記する取付部材２０の一部とともにアングル３０の嵌合凹所３１に嵌め込まれる。
【００２２】
また、本実施形態では、額縁本体１０の室外側端部１１の表面（開口部２の中心側に向く面）に、アングル３０の表側片部３８の室内８側の端部を収容する切欠状凹部１３を設けている。図例では、切欠状凹部１３の深さ寸法（額縁本体１０の厚さ寸法に沿う寸法）を、アングル３０の表側片部３８の厚さ寸法と略同寸法とした例を示している。また、この切欠状凹部１３は、縦額縁１の室外側端部をアングル３０の嵌合凹所３１に嵌め込み、縦額縁１をアングル３０に取り付けた状態で、切欠状凹部１３の段壁面（室外９側に向く面）に、アングル３０の表側片部３８の室内８側の端面が当接するように形成されている。つまり、図例では、縦額縁１をアングル３０に取り付けた状態で、アングル３０の表側片部３８の表面（開口部２の中心側に向く面）と額縁本体１０の切欠状凹部１３が形成されていない部位の表面とが略面一状となる態様としている。また、このように縦額縁１をアングル３０に取り付けた状態では、額縁本体１０の室外側端面１２と、嵌合凹所３１の凹所底面３１ａとの間に隙間が形成される構成とされている。
【００２３】
また、本実施形態では、額縁本体１０の室外側端部１１の裏面（取付下地５側に向く面）に、後記する取付部材２０の裏側片部２１を受入可能とした切欠状凹部１４を形成している。
また、額縁本体１０は、これら表裏の切欠状凹部１３，１４が形成されていない部位の厚さ寸法が、アングル３０の嵌合凹所３１の凹所幅寸法（両片部３３，３８間寸法）よりも大きく形成されている。
【００２４】
また、左右の縦額縁１の各額縁本体１０は、各長手方向一端部（下端部）が下額縁１Ａの額縁本体１０Ａの長手方向両端部にそれぞれ接合される。また、左右の縦額縁１の各額縁本体１０は、各長手方向他端部（上端部）が、図示は省略しているが、上額縁の額縁本体（１０Ａ）の長手方向両端部にそれぞれ接合される。これら各額縁本体１０，１０Ａの接合態様としては、上下の額縁本体１０Ａの各長手方向両端面に、左右の額縁本体１０の上端部及び下端部の各対向面（開口部２の中心側に向く面）を突き合わせるように接合する、いわゆる縦勝ちで接合する態様としてもよい。または、横勝ちで接合する態様としたり、留め接ぎ状に接合する態様としたりしてもよい。また、これら各額縁本体１０，１０Ａの接合部には、容易に接合可能なように、つまり、容易に枠組み可能なように、ねじ等の止具の下穴やダボ等の接合補助部を設けるようにしてもよい。
【００２５】
また、これら各額縁本体１０，１０Ａの長さ寸法は、サッシ枠としての左右の縦枠３、下枠３Ａ及び上枠の長さ寸法に応じた寸法に予め調整されているものとしてもよい。図例では、これら左右の縦枠３、下枠３Ａ及び上枠の各アングル３０，３０Ａに、下地当接片部３４を設けた例を示しており、この下地当接片部３４や接合態様、各額縁本体１０，１０Ａの厚さ寸法等を加味して各額縁本体１０，１０Ａの長さ寸法を予め調整するようにしてもよい。また、予め設定されている内法基準寸法に応じた寸法となるように各額縁本体１０，１０Ａの長さ寸法を予め調整するようにしてもよい。
【００２６】
なお、各額縁本体１０，１０Ａは、無垢の木材から形成されたものとしてもよく、または、木質系材料からなる基材の少なくとも室内８側に露出する部位に、適宜、合成樹脂シートや突板等の表面化粧材を貼着して表面化粧処理が施されたものとしてもよい。この基材としては、無垢板や、合板やＬＶＬ（単板積層材）等の木質積層板、パーティクルボード等の木質ボード、インシュレーションボードやＭＤＦ（中密度繊維板）等の木質繊維板などの木質系材料を板状に加工したものが挙げられる。また、上記基材としては、その他、合成樹脂系材料に、木粉や無機フィラー、相溶化剤、着色剤などを所定の含有割合で含有させた木粉・プラスチック複合材（ＷＰＣ）を板状に加工したものとしてもよい。また、上記基材としては、適宜の板状材料を組み合わせて積層した複合基材としてもよい。
【００２７】
取付部材２０は、アングル３０の下地側片部３３の係合突部３３ａが係止されて当該縦額縁１の室内８側への移動を規制する被係合部２２を備えている。また、取付部材２０は、当該縦額縁１がアングル３０に取り付けられた状態で、縦枠３の室内８側に向く面３４ａに当接し、当該縦額縁１を室内８側へ付勢する付勢部２６を備えている。
この取付部材２０は、本実施形態では、額縁本体１０の長手方向の全長に亘ってその室外側端部１１に取り付けられるものではなく、図２に示すように、額縁本体１０の長手方向に沿って互いに間隔を空けて複数取り付けられるものとされている。図例では、額縁本体１０の長手方向に沿って比較的に長尺に形成された取付部材２０を例示している。この取付部材２０の長さ寸法としては、２０ｍｍ〜３００ｍｍ程度としてもよい。また、この取付部材２０を額縁本体１０の室外側端部１１に取り付ける個数は、額縁本体１０の長さ寸法や取付部材２０の長さ寸法等に応じて適宜の個数としてもよく、例えば、２個〜５個程度としてもよい。
【００２８】
また、本実施形態では、取付部材２０は、アングル３０の下地側片部３３を挟むように保持する室外９側に向けて開口する係合凹所２３を室外９側の端部に設け、額縁本体１０の裏面側に沿うように固定される裏側片部２１を備えている。本実施形態では、この裏側片部２１の係合凹所２３に被係合部２２を設けた態様としている。
裏側片部２１は、額縁本体１０の室外側端部１１の裏面に設けられた切欠状凹部１４にその一部が受け入れられるように額縁本体１０の室外側端部１１に取り付けられる。図例では、この裏側片部２１の厚さ寸法（額縁本体１０の厚さ寸法に沿う寸法）を、切欠状凹部１４の深さ寸法（額縁本体１０の厚さ寸法に沿う寸法）よりも大きくした例を示している。また、裏側片部２１の室外９側の面が額縁本体１０の室外側端面１２よりも室外９側に位置するように、この裏側片部２１の見込み寸法（壁体の厚さ方向に沿う寸法）を、切欠状凹部１４の見込み寸法（壁体の厚さ方向に沿う寸法）よりも大きくした例を示している。
【００２９】
この裏側片部２１に設けられた係合凹所２３は、当該取付部材２０を取り付けた縦額縁１を、アングル３０に取り付けた際に、下地側片部３３の受け入れが可能なように、下地側片部３３の突出寸法に応じた深さ寸法（壁体の厚さ方向に沿う寸法）とされている。また、この係合凹所２３は、図３（ｂ）に示すように、取付部材２０の長手方向（額縁本体１０の長手方向と同方向）の全長に亘って設けられている。また、この係合凹所２３は、図例では、その室外９側の開口両側縁部が室外９側に向かうに従い拡大する拡開形状（テーパー形状）とされている。このような態様とすることで、アングル３０の下地側片部３３を挟むように保持する係合凹所２３に、係合突部３３ａを設けた下地側片部３３をスムーズに挿入させることができる。
【００３０】
この係合凹所２３に設けられた被係合部２２は、図１及び図３（ｃ）に示すように、係合凹所２３内の凹所奥側部位（室内８側部位）で、取付下地５側に向く部位を凹ませるように形成された凹段部２２とされている。換言すれば、係合凹所２３内の開口側部位（室外９側部位）で、取付下地５側に向く部位を、取付下地５側に向けて突出させ、その室内８側部位を凹段部２２としている。この凹段部２２は、取付部材２０の長手方向の全長に亘って設けられている。また、この凹段部２２は、取付部材２０を額縁本体１０に取り付けた縦額縁１の室外側端部をアングル３０の嵌合凹所３１に嵌め込んだ状態で、アングル３０の下地側片部３３の係合突部３３ａが係止するように取付部材２０に形成されている。このように、取付部材２０の凹段部２２に、アングル３０の下地側片部３３の係合突部３３ａが係止することで、当該縦額縁１のアングル３０に対する室内８側への移動が規制される。また、凹段部２２は、この状態で、裏側片部２１の室外９側の面が嵌合凹所３１の凹所底面３１ａに近接するように、取付部材２０に形成されている。
また、係合凹所２３内における凹段部２２の開口側部位は、アングル３０の下地側片部３３を挟むように保持可能なように、絞られた形状とされている。
【００３１】
また、縦額縁１は、額縁本体１０の裏面側の切欠状凹部１４に取付部材２０の裏側片部２１が取り付けられた状態で、凹段部２２の段底面（取付下地５側に向く面）から表面側の切欠状凹部１３の段底面（開口部２の中心側に向く面）までの厚さ寸法がアングル３０の下地側片部３３の係合突部３３ａと表側片部３８との間の寸法と略同寸法となるように形成されている。
また、本実施形態では、取付部材２０を、額縁本体１０の室外側端部１１に釘やねじ等の止具１９によって取り付けられる構成としており、裏側片部２１に、止具１９が挿通される止具孔２４を設けている。この止具孔２４は、裏側片部２１の厚さ方向（額縁本体１０の厚さ方向と同方向）に貫通して形成されている。また、図例では、止具１９の頭部を受け入れるざぐり（皿ざぐり）を設けた止具孔２４を例示している。
【００３２】
また、本実施形態では、図２に示すように、取付部材２０の長手方向に沿って複数箇所（図例では、２箇所）に止具孔２４，２４を設けている（図３（ａ）、（ｂ）も参照）。本実施形態では、上記したように、額縁本体１０の室外側端部１１の裏面側に、裏側片部２１の一部を受入可能とした切欠状凹部１４を設けている。従って、裏側片部２１の室内８側の面を、切欠状凹部１４の段壁面（室外９側に向く面）に当接させることで、取付部材２０の額縁本体１０に対する見込み方向に沿う位置決めを容易に行うことができる。なお、額縁本体１０の切欠状凹部１４の段底面に、額縁本体１０に取り付けられる複数の取付部材２０のそれぞれの止具孔２４，２４の位置に応じた位置となるように、止具１９の下穴を設けるようにしてもよい。
【００３３】
また、本実施形態では、取付部材２０は、裏側片部２１の室外９側の端部から縦枠３の取付下地５側に向けて突出するように設けられた突出片部２５を備えている。本実施形態では、この突出片部２５に付勢部２６を設けた態様としている。また、本実施形態では、これら突出片部２５と裏側片部２１とによって取付部材２０を略Ｌ字状としている。
この突出片部２５は、取付部材２０を取り付けた縦額縁１を、アングル３０に取り付けた状態で、アングル３０の下地側部材３２の下地当接片部３４に沿うように配設される。また、突出片部２５は、この状態で、アングル３０の下地側部材３２の下地当接片部３４の当接対象（図例では、スペーサー６）に当接しないような突出寸法とされている。
【００３４】
この突出片部２５に設けられた付勢部２６は、本実施形態では、図３に示すように、取付部材２０（突出片部２５）に一体的に設けられた付勢片部２６とされており、その一端が裏側片部２１側に連なるように設けられている。この付勢片部２６は、その他端を自由端として、他端側が室内外方向に変位（揺動）可能とされている。また、図例では、付勢片部２６は、薄平板状とされており、自然状態（外力が作用していない状態）では、その他端側が取付部材２０（突出片部２５）の室外９側の面よりも室外９側に突出し、この室外９側の面に対して傾斜状となるように形成されている。この付勢片部２６の厚さ寸法（壁体の厚さ方向に沿う寸法）は、図３（ｃ）に示すように、突出片部２５の厚さ寸法（壁体の厚さ方向に沿う寸法）よりも小さく形成されている。また、突出片部２５には、この付勢片部２６を変位可能とするように、この付勢片部２６を囲むように形成された切込状部２７が設けられている。換言すれば、付勢片部２６は、突出片部２５に切り起こし状に設けられている。
【００３５】
また、この付勢片部２６は、図１に示すように、取付部材２０を取り付けた縦額縁１を、アングル３０に取り付けた状態では、その弾性変形を伴い、他端側がサッシ枠（縦枠）３の室内８側に向く面としての下地当接片部３４の室内側面３４ａに当接される。つまり、この状態では、当該付勢片部２６の弾性変形を伴い、その一端を支点として取付部材２０（突出片部２５）の室外９側の面よりも室外９側に突出した他端側が室内８側へ変位した状態となる（図３（ｃ）も参照）。このように付勢片部２６の他端側が室内８側へ変位した状態では、取付部材２０、つまりは、この取付部材２０を取り付けた縦額縁１を、縦枠３に対して室内８側に向けて付勢するように付勢片部２６の復元力が作用することとなる。
【００３６】
また、本実施形態では、この取付部材２０は、合成樹脂系材料から上記形状に形成されている。合成樹脂系材料としては、ＰＰ（ポリプロピレン）樹脂や、ＡＢＳ（アクリロニトリルブタジエンスチレン）樹脂、ＰＥ（ポリエチレン）樹脂、ＰＥＴ（ポリエチレンテレフタレート）樹脂、ＰＣ（ポリカーボネート）樹脂、ＰＰＳ（ポリフェニレンサルファイド）樹脂等としてもよい。または、取付部材２０を、アルミニウムやアルミニウム合金、ステンレス、炭素鋼等の金属系材料から上記形状に形成されたものとしてもよい。
【００３７】
次に、上記構成とされた各額縁１，１Ａの施工手順の一例について説明する。
まず、建物の開口部２に、上記のようにサッシ枠としての左右の縦枠３、下枠３Ａ及び上枠を固定する。また、左右の額縁本体１０及び上下の額縁本体１０Ａを接合して枠組みする。この際、上記のように、ねじ等の止具の下穴やダボ等の接合補助部を利用して枠組みするようにしてもよい。これら左右の額縁本体１０及び上下の額縁本体１０Ａの接合は、ダボ等の接合補助部に加えて、ねじ等の止具を用いて接合するようにしてもよく、これに代えて、または加えて、接着剤等を用いて接合するようにしてもよい。
また、各額縁本体１０，１０Ａの室外側端部１１に、取付部材２０を取り付ける。この取付部材２０は、各額縁本体１０，１０Ａを枠組みする前に取り付けるようにしてもよく、または枠組みした後に取り付けるようにしてもよい。
【００３８】
そして、左右の縦枠３、下枠３Ａ及び上枠の各アングル３０，３０Ａの各嵌合凹所３１に、各額縁１，１Ａの室外側端部を嵌め込むように取り付ける。また、各額縁本体１０，１０Ａと取付下地５との間に飼木（かい物）等のスペーサー６を介在させ、取付下地５に固定されたこのスペーサー６に対して各額縁本体１０，１０Ａを接着剤等によって固定するようにしてもよい。図例では、取付下地５に対してサッシ枠（縦枠）３を第１のスペーサー６を介して固定し、この第１のスペーサー６に対して額縁本体１０を第２のスペーサー６を介して固定した例を示している。また、この際、各額縁本体１０，１０Ａの裏面（取付下地５側に向く面）にスペーサー（第２のスペーサー）６が当接するように、スペーサー（第２のスペーサー）６を適宜、調整するようにしてもよい。また、このスペーサー（第２のスペーサー）６に、取付部材２０が干渉しないようスペーサー（第２のスペーサー）６を適宜の見込み寸法としてもよい。
【００３９】
また、各額縁本体１０，１０Ａの凹溝１５にケーシング部材１６の係合片１７を嵌め込み、ケーシング部材１６を各額縁本体１０，１０Ａに取り付けるようにしてもよい。
なお、上記施工手順は一例に過ぎず、各部材の機能を阻害しない限りにおいて別手順で行うようにしてもよい。例えば、上記のように、各額縁１，１Ａ（額縁本体１０，１０Ａ）を枠組みした状態で、各アングル３０，３０Ａに取り付ける態様に代えて、各額縁１，１Ａ（額縁本体１０，１０Ａ）を各アングル３０，３０Ａに個別に取り付ける態様としてもよい。
【００４０】
上記構成とされた本実施形態に係るサッシ枠用額縁１，１Ａによれば、加工性や取付強度を向上させることができ、サッシ枠３，３Ａに対するサッシ枠用額縁１，１Ａの室内外方向への移動を抑制することができる。
つまり、非木質系材料から形成された取付部材２０に、サッシ枠３，３Ａのアングル３０，３０Ａの係合部（係合突部）３３ａが係止されて当該サッシ枠用額縁１，１Ａの室内８側への移動を規制する被係合部（凹段部）２２を設けている。従って、木質系材料から形成された額縁本体１０，１０Ａに被係合部（凹段部）２２を設けた場合と比べて、加工性を向上させることができ、また、アングル３０，３０Ａに取り付ける際に変形し難く、取付強度を向上させることができる。
【００４１】
また、この取付部材２０に、サッシ枠３，３Ａの室内８側に向く面（下地当接片部３４の室内側面）３４ａに当接し、当該サッシ枠用額縁１，１Ａを室内８側へ付勢する付勢部（付勢片部）２６を設けている。従って、付勢片部２６による室内８側への付勢によって、当該サッシ枠用額縁１，１Ａの室内８側への移動を規制する取付部材２０の凹段部２２を比較的に確実にアングル３０の係合突部３３ａに係止させることができ、また、室外９側への移動も抑制することができる。これにより、これら取付部材２０の凹段部２２及び付勢片部２６によって、当該サッシ枠用額縁１，１Ａのサッシ枠３，３Ａに対する室内外方向への移動を抑制することができる。
また、サッシ枠３，３Ａの各アングル３０，３０Ａの各嵌合凹所３１に、サッシ枠用額縁１，１Ａの室内側端部を嵌め込み、各アングル３０，３０Ａの各係合突部３３ａを各取付部材２０の凹段部２２に係止させて取り付けることができる。従って、サッシ枠用額縁１，１Ａを各アングル３０，３０Ａに取り付ける際に、上記のように、サッシ枠用額縁１，１Ａの室内外方向への位置ずれが生じ難くなる。また、サッシ枠用額縁１，１Ａをアングル３０，３０Ａに取り付けるための複数本のねじや釘等の止具を少なく、または不要とすることもできる。これらにより、作業性を向上させることができ、見栄えを向上させることもできる。
【００４２】
また、本実施形態では、取付部材２０を合成樹脂系材料または金属系材料から形成されたものとしているので、加工性や取付強度をより向上させることができる。なお、取付部材２０を、このように合成樹脂系材料または金属系材料から形成されたものとする態様に代えて、木質系材料よりも加工性が良く、凹み等の変形が少ない非木質系材料から形成されたものとしてもよい。
また、本実施形態では、取付部材２０を、額縁本体１０，１０Ａの室外側端部１１に互いに間隔を空けて複数取り付けられるものとしている。従って、例えば、額縁本体１０，１０Ａの全体に亘って取り付けられる長尺とされたものと比べて、低コスト化を図ることができ、また、各アングル３０，３０Ａに対して取り付け易いものとなる。また、異なる長さ寸法のサッシ枠１，１Ａにも容易に適用することができ、汎用性を向上させることができる。なお、複数の取付部材２０を額縁本体１０，１０Ａに取り付ける態様に代えて、単一の取付部材２０を額縁本体１０，１０Ａの室外側端部１１に取り付ける態様としてもよい。この場合は、取付部材２０の長さ寸法を、額縁本体１０，１０Ａの長さ寸法に応じた寸法としてもよく、または、額縁本体１０，１０Ａの長さ寸法よりも短い寸法としてもよい。また、取付部材２０を、適宜、施工現場等において切断等されることで長さ調整されるものとしてもよい。
【００４３】
また、本実施形態では、額縁本体１０，１０Ａの室外側端部１１の表面に切欠状凹部１３を設けている。従って、額縁本体１０，１０Ａの表面とアングル３０，３０Ａの表側片部３８の表面との段差を比較的に小さくする、または略無くすことができ、見栄えを向上させることができる。
また、この切欠状凹部１３の段壁面に、アングル３０，３０Ａの表側片部３８の室内８側の端面を当接させることで、サッシ枠用額縁１，１Ａのアングル３０，３０Ａに対する室外９側への移動をより確実に規制することもできる。
なお、上記した例では、縦額縁１をアングル３０に取り付けた状態で、アングル３０の表側片部３８の表面と額縁本体１０の切欠状凹部１３が形成されていない部位の表面とが略面一状となる態様とした例を示しているが、このような態様に限られない。例えば、縦額縁１をアングル３０に取り付けた状態で、アングル３０の表側片部３８の表面と額縁本体１０の切欠状凹部１３が形成されていない部位の表面との間に僅かに段差が形成されるものとしてもよい。また、縦額縁１をアングル３０に取り付けた状態で、切欠状凹部１３の段壁面とアングル３０の表側片部３８の室内８側の端面との間に僅かな隙間が形成されるものとしてもよい。
【００４４】
また、本実施形態では、取付部材２０に、アングル３０の下地側片部３３を挟むように保持する係合凹所２３を設けた裏側片部２１を設けているので、アングル３０に対する取付強度をより向上させることができる。また、本実施形態では、この裏側片部２１に、取付部材２０を額縁本体１０の室外側端部１１に取り付ける止具１９が挿通される止具孔２４を設けている。従って、例えば、額縁本体１０の室外側端面１２に沿うように固定される端側片部に止具孔を設ける場合と比べて、止具孔２４の形成対象の厚さ寸法を効率的に大きくすることができ、取付部材２０の額縁本体１０に対する取付強度を向上させることができる。
また、取付部材２０の付勢片部２６を、裏側片部２１の室外９側の端部からサッシ枠３の取付下地５側に向けて突出するように設けられた突出片部２５に設けている。従って、例えば、取付部材２０の付勢片部を、上記のような端側片部に設けた場合と比べて、額縁本体１０の室外側端面１２とアングル３０の嵌合凹所３１の凹所底面３１ａとの間を小さくすることもできる。また、上記のような端側片部に設けた場合と比べて、付勢片部２６の付勢力を効率的に大きくすることも可能となる。また、上記した例では、付勢片部２６が金属系材料から形成されたアングル３０の下地側部材３２の下地当接片部３４に当接することとなるので、付勢片部２６の当接対象が変形し難く、より確実にサッシ枠用額縁１，１Ａを室内８側へ付勢することができる。
【００４５】
次に、本発明に係る他の実施の形態について、図面を参照しながら説明する。
図４及び図５は、第２実施形態に係るサッシ枠用額縁を模式的に示す図である。
なお、上記第１実施形態との相違点について主に説明し、同様の構成については、同一符号を付し、その説明を省略または簡略に説明する。また、施工手順についても上記第１実施形態と略同様であるので、その説明を省略する。
【００４６】
本実施形態に係るサッシ枠用額縁１Ｂ，１Ｃは、取付部材２０Ａの構成が、上記第１実施形態とは主に異なる。なお、図４では、一方の縦額縁１Ｂ及び下額縁１Ｃのみを図示しており、また、上額縁、他方の縦額縁及び下額縁１Ｃについては、縦額縁１Ｂと概ね同様の構成であるので、以下では、縦額縁１Ｂを例にとって説明する。
本実施形態に係る縦額縁１Ｂは、取付部材２０Ａを、額縁本体１０の裏面側に沿うように固定される裏側片部２１Ａと、額縁本体１０の室外側端面１２に沿うように固定される端側片部２５Ａとを備えた構成としている。
【００４７】
この取付部材２０Ａの裏側片部２１Ａは、図４及び図５に示すように、上記第１実施形態において説明した取付部材２０の裏側片部２１と概ね同様の係合凹所２３を室外９側の端部に設け、この係合凹所２３内に上記同様の凹段部２２を設けた構造とされている。また、本実施形態では、この裏側片部２１Ａに止具孔を設けずに、裏側片部２１Ａの見込み寸法を、上記第１実施形態の取付部材２０の裏側片部２１の見込み寸法よりも小さくしている。また、この裏側片部２１Ａの見込み寸法に応じて、額縁本体１０の裏面側の切欠状凹部１４Ａの見込み寸法を、上記第１実施形態の切欠状凹部１４の見込み寸法よりも小さくしている。
【００４８】
端側片部２５Ａは、裏側片部２１Ａの室外９側の端部から反取付下地５側（開口部２の中心側）に向けて突出するように設けられており、薄平板状とされている。また、本実施形態では、これら端側片部２５Ａと裏側片部２１Ａとによって取付部材２０Ａを略Ｌ字状としている。
この端側片部２５Ａは、取付部材２０Ａを取り付けた縦額縁１Ｂを、アングル３０に取り付けた状態で、アングル３０の表側片部３８に当接しないよう、額縁本体１０の表面側の切欠状凹部１３の段底面よりも開口部２の中心側に突出しないように形成されている。
また、本実施形態では、この端側片部２５Ａに、止具１９が挿通される止具孔２８を設けている。この止具孔２８は、端側片部２５Ａの厚さ方向（額縁本体１０の見込み方向と同方向）に貫通して形成されている。また、図例では、上記第１実施形態と同様、止具１９の頭部を受け入れるざぐり（皿ざぐり）を設けた止具孔２８を例示している。
また、本実施形態では、図５（ａ）、（ｂ）に示すように、取付部材２０Ａの長手方向に沿って複数箇所（図例では、２箇所）に止具孔２８，２８を設けている。なお、額縁本体１０の室外側端面１２に、額縁本体１０に取り付けられる複数の取付部材２０Ａのそれぞれの止具孔２８，２８の位置に応じた位置となるように、止具１９の下穴を設けるようにしてもよい。
【００４９】
また、本実施形態では、この端側片部２５Ａに、付勢部２６Ａを設けている。この付勢部２６Ａは、上記第１実施形態と概ね同様、図５に示すように、取付部材２０Ａ（端側片部２５Ａ）に一体的に設けられた付勢片部２６Ａとされており、その一端が裏側片部２１Ａ側に連なるように設けられている。この付勢片部２６Ａは、その他端を自由端として、他端側が室内外方向に変位（揺動）可能とされている。図例では、端側片部２５Ａに設けられた２つの止具孔２８，２８の間に付勢片部２６Ａを設けた例を示している。また、図例では、付勢片部２６Ａは、室外９側に凸の凸湾曲形状とされており、自然状態（外力が作用していない状態）では、図５（ｃ）に示すように、その凸部位が取付部材２０Ａ（端側片部２５Ａ）の室外９側の面よりも室外９側に突出するように形成されている。この付勢片部２６Ａの厚さ寸法（壁体の厚さ方向に沿う寸法）は、図５（ｃ）に示すように、端側片部２５Ａの厚さ寸法と略同寸法とされている。また、端側片部２５Ａには、上記第１実施形態と概ね同様、この付勢片部２６Ａを変位可能とするように、この付勢片部２６Ａを囲むように形成された切込状部２７Ａが設けられている。換言すれば、上記第１実施形態と同様、付勢片部２６Ａは、端側片部２５Ａに切り起こし状に設けられている。
【００５０】
また、この付勢片部２６Ａは、図４に示すように、取付部材２０Ａを取り付けた縦額縁１Ｂを、アングル３０に取り付けた状態では、その弾性変形を伴い、他端側の凸部位がサッシ枠（縦枠）３の室内８側に向く面としての嵌合凹所３１の凹所底面３１ａに当接される。つまり、この状態では、当該付勢片部２６Ａの弾性変形を伴い、凸部位が押し潰されるようにして室内８側へ変形した状態となる（図５（ｃ）も参照）。このように付勢片部２６Ａが変形した状態では、上記第１実施形態と同様、取付部材２０Ａ、つまりは、この取付部材２０Ａを取り付けた縦額縁１Ｂを、縦枠３に対して室内８側に向けて付勢するように付勢片部２６Ａの復元力が作用することとなる。
【００５１】
上記構成とされた本実施形態に係るサッシ枠用額縁１Ｂ，１Ｃにおいても上記第１実施形態と概ね同様の効果を奏する。
また、本実施形態では、取付部材２０Ａの裏側片部２１Ａ及び端側片部２５Ａを額縁本体１０の裏面側（切欠状凹部１４Ａ）及び室外側端面１２にそれぞれ沿わせて固定することができる。従って、取付部材２０Ａの額縁本体１０に対する厚さ方向及び見込み方向の位置決めを容易に行え、また、厚さ方向及び見込み方向に位置ずれが生じ難くなる。これにより、取付部材２０Ａを止具１９によって額縁本体１０に取り付ける際における作業性を向上させることができる。
【００５２】
次に、本発明に係る更に他の実施の形態について、図面を参照しながら説明する。
図６及び図７は、第３実施形態に係るサッシ枠用額縁を模式的に示す図である。
なお、上記各実施形態との相違点について主に説明し、同様の構成については、同一符号を付し、その説明を省略または簡略に説明する。また、施工手順についても上記第１実施形態と略同様であるので、その説明を省略する。
【００５３】
本実施形態に係るサッシ枠用額縁１Ｄ，１Ｅは、取付部材２０Ｂの構成が、上記各実施形態とは主に異なる。なお、図６では、一方の縦額縁１Ｄ及び下額縁１Ｅのみを図示しており、また、上額縁、他方の縦額縁及び下額縁１Ｅについては、縦額縁１Ｄと概ね同様の構成であるので、以下では、縦額縁１Ｄを例にとって説明する。
本実施形態に係る縦額縁１Ｄは、取付部材２０Ｂの裏側片部２１Ｂの構成が、上記第２実施形態の取付部材２０Ａの裏側片部２１Ａとは主に異なる。
【００５４】
この取付部材２０Ｂの裏側片部２１Ｂは、図６及び図７（ａ）、（ｂ）に示すように、上記第２実施形態の裏側片部２１Ａに設けたような係合凹所２３を設けずに、薄平板状とされている。本実施形態では、この薄平板状とされた裏側片部２１Ｂの室外９側の端部に上記同様の凹段部２２を設けた構造としている。換言すれば、この取付部材２０Ｂは、上記第２実施形態の取付部材２０Ａの裏側片部２１Ａの係合凹所２３の取付下地５側の部位を、凹段部２２の段底面で切除したような形状とされている。また、この取付部材２０Ｂの裏側片部２１Ｂは、額縁本体１０の切欠状凹部１４Ａが設けられていない部位の裏面よりも取付下地５側に突出しないように、額縁本体１０の裏面側の切欠状凹部１４Ａに、その厚さ方向の略全体が収容される構成とされている。
このような取付部材２０Ｂを備えた本実施形態に係るサッシ枠用額縁１Ｄ，１Ｅにおいても上記第２実施形態と概ね同様の効果を奏する。
また、本実施形態では、裏側片部２１Ｂに、係合凹所を設けていないので、上記各実施形態と比べれば、アングル３０に対する取付強度が幾分劣ることとなるが、構造の簡略化を図ることができる。
【００５５】
次に、本実施形態に係るサッシ枠用額縁１Ｄ，１Ｅの取付部材の一変形例を、図７（ｃ）を参照して説明する。なお、上記した例との相違点について主に説明し、同様の構成については、同一符号を付し、その説明を省略する。
本変形例に係る取付部材２０Ｃは、端側片部２５Ｂの構成が上記した例とは異なる。
本変形例では、端側片部２５Ｂに、複数（図例では、２つ）の付勢片部２６Ａ，２６Ａを設けている。図例では、取付部材２０Ｃ（端側片部２５Ｂ）の長手方向に沿って互いに間隔を空けて、これら複数の付勢片部２６Ａ，２６Ａを設けた例を示している。また、これら付勢片部２６Ａ，２６Ａの間に単一の止具孔２８を設けた構造としている。
【００５６】
このような取付部材２０Ｃを備えた本実施形態に係るサッシ枠用額縁１Ｄ，１Ｅにおいても上記した例と概ね同様の効果を奏する。
また、本変形例では、端側片部２５Ｂに、複数の付勢片部２６Ａ，２６Ａを設けているので、サッシ枠用額縁１Ｄ，１Ｅを、より効果的に室内８側へ付勢することができる。
また、本変形例では、端側片部２５Ｂに単一の止具孔２８を設けた構造としているので、上記した例と比べて、取付部材２０Ｃを簡易に額縁本体１０に取り付けることができる。
なお、上記第１，２実施形態では、取付部材２０，２０Ａに、単一の付勢片部２６，２６Ａを設けた例を示しているが、本変形例のように、複数の付勢片部２６，２６Ａを設けた態様としてもよい。また、上記第１，２実施形態では、取付部材２０，２０Ａに、複数の止具孔２４，２８を設けた例を示しているが、単一の止具孔を設けた態様としてもよい。
【００５７】
また、上記各実施形態において説明した取付部材２０，２０Ａ，２０Ｂ，２０Ｃのそれぞれの異なる構成を、適宜、組み替えたり、組み合わせたりして、適用するようにしてもよい。この場合、各構成を適宜、必要に応じて変形するようにしてもよい。例えば、上記第１実施形態の取付部材２０の裏側片部２１に、額縁本体１０，１０Ａの室外側端面１２に沿うように固定される端側片部を更に設け、この端側片部に止具孔を設けるようにしてもよい。この場合は、裏側片部２１に止具孔２４を設けないようにしてもよい。また、この裏側片部２１に設けた薄平板状の付勢片部２６に代えて、上記第２，３実施形態で説明したような凸湾曲形状の付勢片部２６Ａを設けるようにしてもよい。また、上記第２，３実施形態の取付部材２０Ａ，２０Ｂ，２０Ｃに、凸湾曲形状の付勢片部２６Ａに代えて、上記第１実施形態で説明したような薄平板状の付勢片部２６を設けるようにしてもよい。
【００５８】
また、上記第２，３実施形態では、端側片部２５Ａに止具孔２８を設けた例を示しているが、これに代えて、または加えて、裏側片部２１Ａ，２１Ｂに厚さ方向に貫通する止具孔を設けるようにしてもよい。
また、上記各実施形態では、取付部材２０，２０Ａ，２０Ｂ，２０Ｃに止具孔２４，２８を設けた例を示しているが、このような止具孔を設けないようにしてもよい。この場合は、止具１９を取付部材２０，２０Ａ，２０Ｂ，２０Ｃのいずれかの片部に捩じ込む（または打ち込む）ことで、取付部材２０，２０Ａ，２０Ｂ，２０Ｃを額縁本体１０，１０Ａに取り付ける態様としてもよい。または、これに代えて、若しくは加えて、取付部材２０，２０Ａ，２０Ｂ，２０Ｃを接着剤等によって額縁本体１０，１０Ａに取り付ける態様としてもよい。
【００５９】
また、上記第２，３実施形態では、裏側片部２１Ａ，２１Ｂと端側片部２５Ａ，２５Ｂとによって略Ｌ字状とした取付部材２０Ａ，２０Ｂ，２０Ｃを例示しているが、このような態様に限られない。例えば、端側片部２５Ａ，２５Ｂの反取付下地５側の端部に、室内８側に向けて突出し、額縁本体１０，１０Ａの表面側に沿うように固定される表側片部を更に設けた略コ字状（略Ｕ字状または略Ｃ字状）のものとしてもよい。
また、上記第２，３実施形態では、額縁本体１０，１０Ａの裏面側に沿うように固定される裏側片部２１Ａ，２１Ｂを設けた取付部材２０Ａ，２０Ｂ，２０Ｃを例示しているが、このような裏側片部２１Ａ，２１Ｂを設けないようにしてもよい。この場合は、端側片部２５Ａ，２５Ｂの厚さ寸法（見込み方向に沿う寸法）を、比較的に大きくし、この端側片部の取付下地５側の端部に、被係合部（凹段部）２２を設けたような態様としてもよい。
【００６０】
また、上記各実施形態では、取付部材２０，２０Ａ，２０Ｂ，２０Ｃに切り起こし状の付勢片部２６，２６Ａを設けた例を示しているが、このような態様に限られない。例えば、突出片部２５や端側片部２５Ａ，２５Ｂの縁部等から延出させるように付勢片部を設けた態様としてもよい。また、上記第１実施形態の取付部材２０の場合には、例えば、突出片部自体を付勢片部として把握するような態様としてもよい。
また、上記各実施形態では、取付部材２０，２０Ａ，２０Ｂ，２０Ｃに一体的に付勢片部２６，２６Ａを設けた例を示しているが、サッシ枠３，３Ａの室内８側に向く面３１ａ，３４ａに当接し、サッシ枠用額縁を室内８側へ付勢するものであればよい。例えば、ばね部材やゴム等の弾性部材を、取付部材２０，２０Ａ，２０Ｂ，２０Ｃに付勢部として設けるようにしてもよい。
【００６１】
また、上記各実施形態では、額縁本体１０，１０Ａの室外側端部１１の表面に、アングル３０，３０Ａの表側片部３８の室内側の端部を収容する切欠状凹部１３を設けた例を示しているが、このような切欠状凹部１３を設けないようにしてもよい。この場合は、アングル３０，３０Ａの嵌合凹所３１に応じた寸法となるように、裏面側の切欠状凹部１４，１４Ａの深さ寸法を大きくしたり、額縁本体１０，１０Ａ自体の厚さ寸法を小さくしたりするようにしてもよい。
また、上記各実施形態では、額縁本体１０，１０Ａの室外側端部１１の裏面に、取付部材２０，２０Ａ，２０Ｂ，２０Ｃの裏側片部２１，２１Ａ，２１Ｂの少なくとも一部を受入可能とした切欠状凹部１４，１４Ａを設けた例を示しているが、このような切欠状凹部１４，１４Ａを設けないようにしてもよい。この場合は、アングル３０，３０Ａの嵌合凹所３１に応じた寸法となるように、額縁本体１０，１０Ａ自体の厚さ寸法を小さくしたりするようにしてもよい。
【００６２】
また、上記各実施形態では、サッシ枠３，３Ａのアングル３０，３０Ａを、金属系材料から形成された下地側部材３２と、合成樹脂系材料から形成された表側部材３７と、からなるものとした例を示しているが、このような態様に限られない。例えば、これら下地側部材３２及び表側部材３７の両方を金属系材料から形成したものとしてもよく、または、これら下地側部材３２及び表側部材３７の両方を合成樹脂系材料から形成したものとしてもよい。さらには、このように別体とした態様に代えて、サッシ枠３，３Ａのアングル３０，３０Ａを、金属系材料または合成樹脂系材料から上記したような形状に一体的に形成した態様としてもよい。
また、上記各実施形態では、サッシ枠３，３Ａに取り付けられるサッシ枠用額縁として、四方枠状に枠組みされる上額縁、左右の縦額縁及び下額縁を例示したが、このような態様に限られない。例えば、掃き出し窓や建具等のサッシ枠に取り付けられるような場合等において、三方枠状に枠組みされる上額縁及び左右の縦額縁を、各実施形態に係るサッシ枠用額縁として把握するようにしてもよい。または、このように枠組みされるものに限られず、例えば、サッシ枠としての下枠のみにカウンター状に取り付けられる下額縁のみを、各実施形態に係るサッシ枠用額縁として把握するようにしてもよい。これらの場合にも、上記と概ね同様の効果を奏する。
【符号の説明】
【００６３】
１，１Ｂ，１Ｄ                縦額縁（サッシ枠用額縁）
１Ａ，１Ｃ，１Ｅ              下額縁（サッシ枠用額縁）
１０，１０Ａ                  額縁本体
１１                          室外側端部
１２                          室外側端面
１３                          切欠状凹部
１９                          止具
２０，２０Ａ，２０Ｂ，２０Ｃ  取付部材
２１，２１Ａ，２１Ｂ          裏側片部
２２                          凹段部（被係合部）
２３                          係合凹所
２５                          突出片部
２５Ａ，２５Ｂ                端側片部
２６，２６Ａ                  付勢片部（付勢部）
３                            縦枠（サッシ枠）
３Ａ                          下枠（サッシ枠）
３０，３０Ａ                  アングル
３１                          嵌合凹所
３１ａ                        凹所底面（サッシ枠の室内側に向く面）
３３                          下地側片部（第１片部）
３３ａ                        係合突部（係合部）
３４ａ                        下地当接片部の室内側面（サッシ枠の室内側に向く面）
３８                          表側片部（第２片部）
５                            取付下地
８                            室内
９                            室外
【図１】
0005838361.tif 000002
【図２】
0005838361.tif 000003
【図３】
0005838361.tif 000004
【図４】
0005838361.tif 000005
【図５】
0005838361.tif 000006
【図６】
0005838361.tif 000007
【図７】
0005838361.tif 000008